(57)【要約】  エアバッグモジュールは、インフレータ（４２）とクッション（４０）と方向変更フード（４４）とを有する。補助席側の前方衝撃モジュールとして利用されるときには、クッションは、乗り物のインストルメントパネルから上方へと展開する。方向変更フードは、放出開口を介して下方へガスを向け、クッション内に流入させ、クッションの下方部分（６２）の膨張を促進させ、乗り物の乗員の体を均一に緩衝する。放出開口は、破断継ぎ目が開いて膨張ガスを排出したときに該放出開口が適切に配置されていることを確実ならしめるように破断継ぎ目によって縫い合わされて閉じられている。或いは、放出開口が破断不能な継ぎ目によって縫い合わされて閉じられ、破断不能な継ぎ目近傍に複数の孔が提供されて、放出開口が該孔に沿って開いて膨張ガスを排出する。別の実施例によれば、方向変更フードが相当に非対称の横方向ガス流を提供するようにクッション内で角度がつけられている。
2007504047.tif 000002
【特許請求の範囲】
【請求項１】
乗り物の乗員を衝撃から保護するためのエアバッグモジュールにおいて、インフレータと、膨張方向に沿った該インフレータからの膨張ガスを受け入れるように配置可能なクッションと、方向変更フードとを具備し、該方向変更フードが前記クッションに取り付けられ且つ前記膨張方向に沿った前記インフレータからの膨張ガスを受け入れるように配置された入口開口を備えた入口部分と、膨張ガスの上方への移動を制限して該膨張ガスを水平面から下方へ少なくとも４５度の角度を向いた放出方向に方向転換するように配置された頂部部分と、前記放出方向に沿って膨張ガスを前記クッションに排出するように配置された放出開口を備えた出口部分とを有するエアバッグモジュール。
【請求項２】
前記入口部分と頂部部分と出口部分とが第１外側エッジを備えた第１布部分と該第１布部分に一体的に形成された第２布部分とによって形成されており、前記第２布部分が第２外側エッジを有し、該第２外側エッジが前記第１外側エッジに取り付けられることで前記放出開口が画成される請求項１に記載のエアバッグモジュール。
【請求項３】
前記放出開口の両側の圧力の差として予め定められた圧力差が形成されたことに応答して該放出開口が開くことができるように選択された閉鎖方法を使用して前記出口部分が閉じられている請求項１に記載のエアバッグモジュール。
【請求項４】
フロントガラスが前記方向変更フードの前方への枢動を抑制するように前記クッションの膨張中に乗り物のフロントガラスに並ぶようにして前記頂部部分が配置される請求項１に記載のエアバッグモジュール。
【請求項５】
前記方向変更フードの入口開口が前記クッションの入口開口の周辺部分に取り付けられる周辺部分を有する請求項１に記載のエアバッグモジュール。
【請求項６】
前記出口部分が補助放出方向に沿って膨張ガスを排出するように配置された補助放出開口を画成する請求項１に記載のエアバッグモジュール。
【請求項７】
前記頂部部分が前記放出方向の両側に配置された通気方向に沿って膨張ガスをクッション内に排出するように配置された２つの通気孔を有する請求項１に記載のエアバッグモジュール。
【請求項８】
前記クッションが第１側部と該第１側部に略平行な第２側部とを有し、前記方向変更フードが第１側部分と第２側部分とを有し、これら第１側部分と第２側部分とがクッションの膨張中に該クッションの第１側部および第２側部に略平行である請求項１に記載のエアバッグモジュール。
【請求項９】
前記クッションが補助席側の正面衝突保護を提供するように形成されている請求項１に記載のエアバッグモジュール。
【請求項１０】
前記膨張方向が乗り物のインストルメントパネルから上方に延びる請求項９に記載のエアバッグモジュール。
【請求項１１】
インストルメントパネル内の収容位置から上方に展開すると共に前記放出方向に沿った膨張ガスの放出に応答して下方に延びて乗員の膝に接触するように前記クッションが形成されている請求項１０に記載のエアバッグモジュール。
【請求項１２】
前記放出方向が水平面から下方に少なくとも６０度の角度を向いている請求項９に記載のエアバッグモジュール。
【請求項１３】
前記放出方向が横方向に沿ってクッション内に非対称に膨張ガスを放出させる横方向成分を有するように前記放出開口が配置されている請求項９に記載のエアバッグモジュール。
【請求項１４】
前記クッションおよび方向変更フードがシンプルなコンパクト化によって収容空間内に折り畳まれている請求項１に記載のエアバッグモジュール。
【請求項１５】
乗り物の乗員を衝撃から保護するためのエアバッグモジュールにおいて、インフレータと、膨張方向に沿った該インフレータからの膨張ガスを受け入れるように配置可能なクッションと、方向変更フードとを具備し、該方向変更フードが前記クッションに取り付けられ且つ前記インフレータからの膨張ガスを受け入れるように配置された入口開口を備えた入口部分と、膨張ガスの上方への移動を制限して該膨張ガスを下方へ角度のある放出方向に方向転換するように配置された頂部部分と、膨張ガスを前記クッションに排出するように配置された放出開口を備えた出口部分とを有し、フロントガラスが前記方向変更フードの前方への枢動を抑制するようにクッションの膨張中に乗り物のフロントガラスに並ぶようにして前記頂部部分が配置されるエアバッグモジュール。
【請求項１６】
前記方向変更フードが膨張中に一貫した全体形状を維持するように膨張ガスで満たされる略ドーム状の形状を前記頂部部分が有する請求項１５に記載のエアバッグモジュール。
【請求項１７】
前記頂部部分が並ぶようにして延在するフロントガラスの一部の外形と同様な外形を該頂部部分が有する請求項１５に記載のエアバッグモジュール。
【請求項１８】
前記クッションが補助席側の正面衝撃保護を提供するように形成されている請求項１５に記載のエアバッグモジュール。
【請求項１９】
前記入口開口が上方に延びる膨張方向に沿った膨張ガスを受け入れるように配置され、前記放出開口が下方に延びる放出方向に沿って膨張ガスを排出するように配置されている請求項１８に記載のエアバッグモジュール。
【請求項２０】
乗り物の乗員を衝撃から保護するためのエアバッグモジュールにおいて、インフレータと、膨張方向に沿った該インフレータからの膨張ガスを受け入れるように配置可能であって第１側部と該第１側部に略平行な第２側部とを有するクッションと、実質的にシングルピースの布から構成された方向変更フードとを具備し、該方向変更フードが前記インフレータからの膨張ガスを受け入れるように配置された入口開口を備えた入口部分と、膨張ガスの上方への移動を制限して該膨張ガスを下方へ角度のある放出方向に方向転換するように配置された頂部部分と、第１側部分と、第２側部分とを有し、これら第１側部分と第２側部分とが前記クッションの膨張中にクッションの第１側部と第２側部とに略平行であるエアバッグモジュール。
【請求項２１】
前記方向変更フードが第１外側エッジを備えた第１布部分と該第１布部分に一体的に形成された第２布部分とを有し、該第２布部分が第２外側エッジを有し、前記第１外側エッジと第２外側エッジとが互いに取り付けられることで第１側部分と第２側部分と頂部部分とが形成される請求項２０に記載のエアバッグモジュール。
【請求項２２】
前記入口部分が前記クッションの入口開口の周辺部分に取り付けられる周辺部分を備えた入口開口を有する請求項２０に記載のエアバッグモジュール。
【請求項２３】
前記クッションが補助席側の正面衝突保護を提供するように形成されている請求項２０に記載のエアバッグモジュール。
【請求項２４】
乗り物の乗員を衝撃から保護するためのエアバッグモジュールであってインフレータとクッションとを有するエアバッグモジュール用の方向変更フードにおいて、前記クッションに取り付けられ、膨張方向に沿った前記インフレータからの膨張ガスを受け入れるように配置された入口開口を備えた入口部分と、膨張ガスの上方への移動を制限して該膨張ガスを水平面から下方へ少なくとも４５度の角度を向いた放出方向に方向転換するように配置された頂部部分と、前記放出方向に沿って膨張ガスをクッションに排出するように配置された放出開口を備えた出口部分とを具備する方向変更フード。
【請求項２５】
前記入口部分と頂部部分と出口部分とが第１外側エッジを備えた第１布部分と該第１布部分に一体的に形成された第２布部分とによって形成されており、前記第２布部分が第２外側エッジを有し、該第２外側エッジが前記第１外側エッジに取り付けられることで前記放出開口が形成される請求項２４に記載の方向変更フード。
【請求項２６】
前記第１布部分と第２布部分とが横方向に沿って互いに対称である請求項２５に記載の方向変更フード。
【請求項２７】
前記放出開口の両側の圧力の差として予め定められた圧力差が形成されたことに応答して前記放出開口が開くことができるように選択された閉鎖方法を使用して前記出口部分が閉じられている請求項２４に記載の方向変更フード。
【請求項２８】
フロントガラスが当該方向変更フードの前方への枢動を抑制するようにクッションの膨張中に乗り物のフロントガラスに並ぶようにして前記頂部部分が配置される請求項２４に記載の方向変更フード。
【請求項２９】
当該方向変更フードの入口開口が前記クッションの入口開口の周辺部分に取り付けられる周辺部分を有する請求項２４に記載の方向変更フード。
【請求項３０】
補助放出方向に沿って膨張ガスを排出するように配置された補助放出開口を前記出口部分が画成している請求項２４に記載の方向変更フード。
【請求項３１】
前記放出方向の両側に配置された通気方向に沿って膨張ガスをクッション内に排出するように配置された２つの通気孔を前記頂部部分が有する請求項２４に記載の方向変更フード。
【請求項３２】
乗り物の乗員を衝撃から保護するためのエアバッグモジュールであってインフレータとクッションとを有するエアバッグモジュール用の方向変更フードであって、前記クッションが該クッションの第１部分に向う膨張方向に沿った前記インフレータからの膨張ガスを受け入れるように配置可能である方向変更フードにおいて、第１外側エッジを備えた第１布部分と、該第１布部分に一体的に形成された第２布部分とを具備し、該第２布部分が第２外側エッジを有し、前記第１外側エッジと第２外側エッジとが互いに取り付けられて膨張ガスが前記クッションの第２部分に向うように当該方向変更フードによって前記膨張方向から方向転換せしめられるように向けられた放出開口を画成する方向変更フード。
【請求項３３】
前記第１布部分が前記第１外側エッジに隣接する第１放出エッジを有し、前記第２布部分が前記第２外側エッジに隣接する第２放出エッジを有し、これら放出エッジが前記放出開口を形成するように取り付けられていないままとなっている請求項３２に記載の方向変更フード。
【請求項３４】
前記第１布部分が前記第１外側エッジに隣接する第１補助放出エッジを有し、前記第２布部分が前記第２外側エッジに隣接する第２補助放出エッジを有し、補助放出方向に沿って膨張ガスを排出するように配置された補助放出開口を形成するように前記補助放出エッジが取り付けられていないままとなっている請求項３３に記載の方向変更フード。
【請求項３５】
前記第１部分と第２部分とが長手方向において該第１部分および第２部分よりも幅の狭い中央細長片によって互いに連結されており、該中央細長片が前記第１部分および第２部分に一体的に形成されており、また、該中央細長片が入口開口を有し、該入口開口を介して膨張ガスがインフレータから当該方向変更フードに流入する請求項３２に記載の方向変更フード。
【請求項３６】
前記第１外側エッジと第２外側エッジとが縫い合わされている請求項３２に記載の方向変更フード。
【請求項３７】
乗り物の乗員を衝撃から保護するためのエアバッグモジュールであってインフレータとクッションとを有するエアバッグモジュール用の方向変更フードにおいて、膨張方向に沿ったインフレータからの膨張ガスを受け入れるように配置された入口開口を備えた入口部分と、前記膨張方向とは異なる放出方向に沿って膨張ガスをクッション内に排出するように配置された放出開口を備えた出口部分とを具備し、前記放出開口が該放出開口の両側の圧力の差として予め定められた圧力差が形成されたことに応答して該放出開口が開くことができるように選択された閉鎖方法を利用して閉鎖されている方向変更フード。
【請求項３８】
前記放出開口が開く前に前記放出方向に沿って膨張ガスが排出されるように前記放出開口が配置されるように予め定められた圧力差において当該方向変更フードが膨張される請求項３７に記載の方向変更フード。
【請求項３９】
前記閉鎖方法が予め定められた圧力差があることに応答して裂けて開くように選択された強度を有する継ぎ目を形成するように前記放出開口を縫い合わせて閉鎖することを含む請求項３７に記載の方向変更フード。
【請求項４０】
前記閉鎖方法が前記放出開口を縫い合わせて閉鎖し、予め定められた圧力差があることに応答して裂けるように選択された強度を有する孔開き領域を形成するように前記放出開口に隣接して当該方向変更フードに孔を設けることを含む請求項３７に記載の方向変更フード。
【請求項４１】
前記出口部分が補助放出方向に沿って膨張ガスを排出するように配置された補助放出開口を画成し、該補助放出開口が前記閉鎖方法を使用して閉じられている請求項３７に記載の方向変更フード。
【請求項４２】
クッションと、該クッション内に配置された方向変更フードであって頂部部分と放出開口とを備えた方向変更フードと、インフレータとを具備するエアバッグモジュールを利用して乗り物の乗員に衝撃保護を提供する方法において、膨張方向に沿って方向変更フードに流入する膨張ガスを該方向変更フード内に受け入れる工程と、膨張ガスを前記頂部部分に接触させて該膨張ガスを水平面から下方に少なくとも４５度の角度を向いた放出方向に方向変換する工程と、前記放出開口を介して前記放出方向に沿って膨張ガスをクッション内へ排出する工程とを具備する方法。
【請求項４３】
前記出口部分が閉鎖方法を使用して閉じられ、該閉鎖方法が前記放出開口を介して膨張ガスを排出することができるように該放出開口の両側の圧力差として予め定められた圧力差を生成することで該放出開口を開かせることを含む請求項４２に記載の方法。
【請求項４４】
フロントガラスが前記方向変更フードの前方への枢動を抑制するようにクッションの膨張中に乗り物のフロントガラスに並ぶように前記頂部部分を配置する工程をさらに具備する請求項４２に記載の方法。
【請求項４５】
前記出口部分が補助放出開口を画成している請求項４２に記載の方法において、補助放出方向に沿って膨張ガスを前記補助放出開口から排出する工程をさらに具備する方法。
【請求項４６】
前記頂部部分が２つの通気孔を有する請求項４２に記載の方法において、前記放出方向の両側に配置された通気方向に沿って膨張ガスを前記通気孔からクッション内に排出する工程をさらに具備する方法。
【請求項４７】
前記放出方向に沿って膨張ガスをクッション内に排出する工程が補助席側の正面衝撃保護を提供するようにクッションを膨張させる工程を有する請求項４２に記載の方法。
【請求項４８】
前記膨張方向が乗り物のインストルメントパネルから上方に延びている請求項４７に記載の方法において、前記膨張ガスを方向変更フード内に受け入れる工程が方向変更フードを上方に拡張させる工程を有する方法。
【請求項４９】
前記放出方向に沿って膨張ガスをクッション内に排出する工程がインストルメントパネル内の収容空間から上方にクッションを膨張する工程と、クッションを下方に延在させて乗員の膝に接触させる工程とを有する請求項４８に記載の方法。
【請求項５０】
前記放出方向に沿って膨張ガスをクッション内に排出する工程が水平面から下方に少なくとも６０度の角度に膨張ガスを排出する工程を有する請求項４７に記載の方法。
【請求項５１】
前記放出方向が横方向成分を有するように前記放出開口が配置されている請求項４２に記載の方法において、前記放出方向に沿って膨張ガスをクッション内に排出する工程が横方向に沿って膨張ガスをクッション内に非対称に排出する工程を有する方法。
【請求項５２】
クッションと、該クッション内に配置された方向変更フードと、インフレータとを有するエアバッグモジュールを利用して乗り物の乗員に衝撃保護を提供する方法であって、前記方向変更フードが入口部分と閉鎖方法を利用して閉鎖された放出開口を備えた出口部分とを有している方法において、膨張方向に沿って前記入口部分に流入する膨張ガスを該入口部分内に受け入れる工程と、前記膨張方向とは異なる放出方向に膨張ガスを方向転換する工程と、膨張ガスを前記出口部分内に受け入れて該出口部分の両側の圧力の差を予め定められた圧力差にして放出開口を開かせる工程と、該放出開口を介して前記放出方向に沿って膨張ガスをクッション内に排出する工程とを具備する方法。
【請求項５３】
前記放出開口が開く前に前記放出方向に沿って膨張ガスが排出されるように該放出開口が配置されるように前記方向変更フードを膨張させる工程をさらに具備する請求項５２に記載の方法。
【請求項５４】
前記閉鎖方法が前記放出開口を縫い合わせて閉鎖して継ぎ目を形成する工程を有する請求項５２に記載の方法において、前記放出開口を開く工程が予め定められた圧力差があることに応答して前記継ぎ目を裂く工程を有する方法。
【請求項５５】
前記閉鎖方法が前記放出開口を縫い合わせて閉鎖し、該放出開口に隣接して方向変更フードに孔を設けることで孔開き領域を形成する工程を有する請求項５２に記載の方法において、前記放出開口を開く工程が予め定められた圧力差があることに応答して前記孔開き領域を裂く工程を有する方法。
【請求項５６】
補助放出方向に沿って膨張ガスを排出するように配置された補助放出開口を前記出口部分が画成しており、前記補助放出開口が前記閉鎖方法を使用して閉じられている請求項５２に記載の方法において、予め定められた圧力差があることに応答して前記補助放出開口を開くことを開始させる工程をさらに具備する方法。
【請求項５７】
乗り物の乗員を衝撃から保護するためのエアバッグモジュールを製造する方法において、第１外側エッジを備えた第１布部分と第２外側エッジを備えた第２布部分とを有するフードパネルを形成する工程と、該フードパネルをクッションパネルに取り付ける工程と、該クッションパネルを閉じて前記フードパネルを概して包囲すると共に第１部分と第２部分とを有するクッションを形成する工程と、前記第１外側エッジと第２外側エッジとを互いに取り付けて方向変更フードを形成する工程であって該方向変更フードが前記第１部分に向う膨張方向に該方向変更フードに流入する膨張ガスを前記第２部分に向う放出方向に方向転換させるように成形されている工程を具備する方法。
【請求項５８】
前記第１布部分が前記第１外側エッジに隣接した第１放出エッジを有し、前記第２布部分が前記第２外側エッジに隣接した第２放出エッジを有している請求項５７に記載の方法において、前記第１外側エッジと第２外側エッジとを互いに取り付ける工程が前記放出方向に沿って膨張ガスを方向変更フードから排出するように配置された放出開口を形成するように前記放出エッジ同士を取り付けないままとする工程を有する方法。
【請求項５９】
前記第１布部分が前記第１外側エッジに隣接した第１補助放出エッジを有し、前記第２布部分が前記第２外側エッジに隣接した第２補助放出エッジを有している請求項５８に記載の方法において、前記第１外側エッジと第２外側エッジとを互いに取り付ける工程が補助放出方向に沿って膨張ガスを排出するように配置された補助放出開口を形成するように前記補助放出エッジ同士を取り付けないままとする工程を有する方法。
【請求項６０】
第１布部分が前記第１外側エッジに隣接した第１放出エッジと第１補助放出エッジとを有し、前記第２布部分が前記第２外側エッジに隣接した第２放出エッジと第２補助放出エッジとを有する請求項５７に記載の方法において、前記放出開口の両側の圧力の差として予め定められた圧力差が形成されたことに応答して前記放出エッジが取り外されるように選択された閉鎖方法を使用して前記放出エッジ同士を取り付ける工程と、前記閉鎖方法を使用して前記補助放出エッジ同士を取り付ける工程とをさらに具備する方法。
【請求項６１】
前記第１外側エッジと第２外側エッジとを互いに取り付ける工程が前記第１外側エッジと第２外側エッジとを縫い合わせる工程を有する請求項５７に記載の方法。
【請求項６２】
前記フードパネルが周辺部分を備えた入口開口を有し、前記クッションパネルが周辺部分を備えた入口開口を有している請求項５７に記載の方法において、前記フードパネルを前記クッションパネルに取り付ける工程が前記フードパネルの入口開口の周辺部分を前記クッションパネルの入口開口の周辺部分に取り付ける工程を有する方法。
【請求項６３】
前記第１外側エッジと第２外側エッジとが取り付けられる前に前記クッションパネルが閉じられている請求項６２に記載の方法において、前記第１外側エッジと第２外側エッジとを取り付ける前にクッションパネルの入口開口から前記第１外側エッジと第２外側エッジとを引っ張り出す工程と、前記第１外側エッジと第２外側エッジとを取り付けた後にクッションの入口開口に前記第１外側エッジと第２外側エッジとを挿入して戻す工程とをさらに具備する方法。
【請求項６４】
前記クッションパネルを閉じる工程がクッション内に保持リングを配置するように保持リングをクッションパネルおよびフードパネルの入口開口の周辺部分に取り付ける工程をさらに具備する請求項６２に記載の方法。
【請求項６５】
補助席側の正面衝撃保護を提供する形状が得られるように閉じることが可能なクッションパネルを形成する工程をさらに具備する請求項５７に記載の方法。
【請求項６６】
前記クッションと方向変更フードとを収容空間内にコンパクト化することによって前記クッションと方向変更フードとを折り畳む工程をさらに具備する請求項５７に記載の方法。
【発明の詳細な説明】
【技術分野】
【０００１】
本発明は、乗り物の乗員を怪我から保護するためのシステムおよび方法に関する。特に、本発明は、エアバッグクッションの膨張したときの外形特性を向上させる方向変更フードに関する。
【背景技術】
【０００２】
現在、膨張可能な安全拘束装置、すなわち、エアバッグを搭載することが多くの新車に対して法的に要求されている。エアバッグは、典型的には、ハンドル内や車の補助席側のダッシュボード内に搭載される。さらに、エアバッグは、側方衝撃に対する保護を提供するために乗員の傍で膨張するように搭載されたり、衝撃から膝を保護するために膝の正面で膨張するように搭載されたり、その他、計画的な箇所で膨張するように搭載される。
【０００３】
事故が起こったときには、車の中のセンサシステムが衝撃の状況を検出し、インフレータの点火を起動する。すると、インフレータからの膨張ガスがエアバッグクッションを満たし、即座に膨張させ、車内の面に対する衝撃から運転手や乗員を保護する。車の通常の走行中は、エアバッグは、典型的には、該エアバッグを干渉から保護し且つ車の内部外観を魅力的なものとするためにカバーの後ろに収容されている。
【０００４】
また、エアバッグは、特定の予測される状態にある車の乗員を保護するように設計されることが多い。しかしながら、乗り物の多くの乗員は、衝突が起こったときには適正位置から外れてしまう（ＯＯＰ（out-of-position））。したがって、典型的な衝撃位置から外れた乗員を保護するようにエアバッグが設計されると有利である。補助席側の正面衝突用のエアバッグの場合、乗員を保護するためには、幾分か大きなクッションが利用される。そして、クッションは、天井近くから乗員の膝まで延在し、様々な乗員の位置において衝撃に対する保護を提供するように相当な大きさの横方向の寸法を有している。
【０００５】
また、補助席側の正面衝突用のエアバッグは、車のインストルメントパネル内に搭載されることが多い。また、こうしたエアバッグは、インストルメントパネルの上面に搭載されることが多い。また、インストルメントパネル内には、インフレータが搭載されており、このインフレータは、膨張ガスが上方に流れてクッションを上方に拡大させるように配置される。その結果、クッションは、乗員の頭部の予測される位置に向って膨張する傾向にある。そして、その後、乗員の胴に対する衝撃を和らげるようにクッションの残りの部分が膨張ガスで満たされる。しかしながら、クッションへの頭部のみの初期の接触は、首に過剰な負荷をかけてしまう傾向にあることから、こうした膨張は、望ましくない。さらに、こうした膨張は、適正位置から外れた乗員に対して少ない保護しか提供しない。
【０００６】
こうした問題点に対する公知の解決策は、クッション紐や特別なクッション折畳技術やループ型のディフューザのような内部装置を利用することである。しかしながら、典型的には、こうした解決策には、制限がある。例えば、紐は、乗員に向うクッションの深さを制限してしまい、このため、中間のシートの位置またはリアシートの位置に対する素早い拘束を減少させてしまう傾向にある。また、特別なクッション折畳技術は、実行するのが困難であるし、実行するコストが高いことが多い。また、ループ型のディフューザは、概して、展開性能に関して限定的な改善しか提供せず、典型的には、集中的なガスの方向転換を行うことができない。
【発明の開示】
【発明が解決しようとする課題】
【０００７】
本発明の装置および方法は、当該技術分野、特に、現在利用可能なエアバッグモジュールによっては十分に解決されていない当該技術分野における問題やニーズに対応して開発されたものである。したがって、本発明の全体的な目的は、従来技術における欠点を改善するエアバッグモジュールとそれに関連する方法を提供することにある。
【課題を解決するための手段】
【０００８】
上記目的を達成するために、ここで１つの実施形態として実施されて広義に説明する発明によれば、エアバッグモジュールは、クッションと、インフレータと、クッション内に配置された方向変更フードとを有する。インフレータは、クッションと方向変更フードとを収容しているハウジング内に配置される。また、インフレータは、電子制御装置（ＥＣＵ）に接続されており、ＥＣＵは、衝突センサ、例えば、加速度計に連結され、該ＥＣＵが衝突センサによる衝突の検出に応答してインフレータに始動信号を送信することができるようになっている。また、乗り物は、フロントガラスやインストルメントパネルを有し、これらフロントガラスやインストルメントパネルからクッションが展開する。
【０００９】
また、クッションは、第１部分と第２部分とを有し、膨張状態では、第１部分は、乗員の頭部の予測される位置に向かって第２部分の上方に配置されている。方向変更フードがなければ、膨張ガスは、第１部分内に流入する傾向にある。方向変更フードは、インストルメントパネル内のインフレータとハウジングとに隣接した入口部分を有する。また、方向変更フードは、前方を向いた領域と後方を向いた領域とを備えた出口部分と、該出口部分の概して上方の頂部部分とを有する。
【００１０】
また、出口部分の後方を向いた領域には、放出開口が形成されており、出口部分の前方を向いた領域には、補助放出開口が形成されている。方向変更フードの頂部部分は、インフレータからの膨張ガスの殆どを受け入れ、該膨張ガスを下方へと方向を変更させ、放出開口を介して方向変更フードから流出させる。また、膨張ガスは、放出方向に沿って放出開口から流出する。放出方向は、それが概ねクッションの第２部分に向うように少なくとも６０度の角度だけ水平面から下方に向いている。
【００１１】
また、頂部部分は、補助放出開口に向って膨張ガスの一部を下方へと方向を変更させる。この膨張ガスの一部は、補助放出方向に沿って補助放出開口から流出し、クッションの前方を向いた領域への幾つかの通気を提供する。また、方向変更フードは、クッションへのさらなる横方向の通気を提供するために両側に通気孔を有する。
【００１２】
また、クッションは、第１側部と、第２側部と、取付部分とを有し、該取付部分において、クッションがハウジングに取り付けられる。したがって、取付部分は、クッションが膨張したときには、インストルメントパネルに隣接して配置されることになる。また、方向変更フードは、第１布部分と第２布部分とを有し、これら布は、互いに一体的に形成されており、横方向に沿って互いに略対称となっている。また、第１布部分は、第１側部分を有し、第２布部分は、第２側部分を有し、これら側部分は、クッションの第１側部と第２側部とに略平行な位置に膨張する。
【００１３】
また、第１布部分は、第１外側エッジを有し、第２布部分は、第２外側エッジを有し、これら外側エッジに沿って第１布部分と第２布部分とが縫合せのような方法によって互いに取り付けられる。また、第１布部分は、第１放出エッジと第１補助放出エッジとを有し、第２布部分は、第２放出エッジと第２補助放出エッジとを有する。これら第１放出エッジと第２放出エッジと第１補助放出エッジと第２補助放出エッジとは、第１外側エッジおよび第２外側エッジに隣接しており、放出開口および補助放出開口を提供するために取り付けられていないままとなっている。
【００１４】
作動時、ＥＣＵは、衝突の検出に応答してインフレータに始動信号を送信する。すると、インフレータは、膨張ガスを排出し、この膨張ガスは、入口部分を通って方向変更フードに流入し、頂部部分内へと流れる。頂部部分は、膨張ガスを出口部分内へと方向転換させ、出口部分は、放出開口および補助放出開口を介して膨張ガスを排出する。放出開口を介して流出した膨張ガスは、クッションの第２部分に向って移動し、第２部分の膨張を促進させ、これにより、乗員、特に、適正位置から外れた乗員に高い衝撃緩和を提供する。
【００１５】
また、組立前、エアバッグモジュールは、方向変更フードとなるフードパネルと、クッションとなるクッションパネルとを有する。また、エアバッグ組立体は、保持リングと、該保持リングに係合可能な複数のナットとを有する。フードパネルは、第１部分と第２部分とを有するが、これら部分の外側エッジは、方向変更フードを形成するために互いに取り付けられてはいない。
【００１６】
フードパネルは、第１布部分と第２布部分とを互いに接続する中央細長片を有し、この中央細長片は、第１布部分と第２布部分とに一体的に形成されている。また、膨張ガスをインフレータから方向変更フードに流入させるために中央細長片に入口開口が形成されている。また、中央細長片は、入口開口を包囲する周辺部分を有する。周辺部分には、方向変更フードをクッションに取り付けやすいように、複数の取付穴と複数の整列穴とが形成されている。また、クッションは、同様の構成の取付穴および整列穴を有する周辺部分を備えた入口開口を有する。
【００１７】
また、保持リングは、管状壁と、該管状壁の一端から外方へ延在するフランジとを有する。フランジにはファスナが一体的に形成され或いは取り付けられ、これらファスナは、クッションおよび方向変更フードの取付穴に整列するようにエアバッグモジュールのその他の構成要素に向って延びている。ファスナは、ボルトやその他のネジ部材などである。さらに、フランジには、タブが形成されており、これらタブは、整列穴に整列するようにエアバッグモジュールのその他の構成要素に向って延びている。
【００１８】
また、ハウジングは、側壁と取付プレートとを有し、取付プレートには、フードパネルおよびクッションパネルのものと同様な構成の入口開口が形成されている。また、取付プレートは、入口開口を包囲する周辺部分を有し、この周辺部分には、取付穴および整列穴が形成されている。インフレータは、該インフレータが作動したときに複数の穴を介して膨張ガスを通気する排気部分と、ＥＣＵに連結される接続部分とを有する。排気部分と接続部分とは、略円筒形の形をしている。また、排気部分と接続部分との間から外方へフランジが延びている。このフランジは、方向変更フードおよびクッションおよびハウジングの取付穴ならびに保持リングのファスナに整列する取付穴を有する。
【００１９】
また、エアバッグモジュールは、最初に、クッションパネルおよびフードパネルの入口開口周りでクッションパネルとフードパネルとを互いに取り付けることによって組み立てられる。そして、クッションパネルが閉じられてクッションが形成されると共にフードパネルが閉じられて方向変更フードが形成される。１つの方法の例によれば、クッションパネルのエッジが互いに取り付けられてクッションが形成される。そして、フードパネルの第１部分と第２部分とが保持リングおよびフードパネルおよびクッションパネルの入口開口を介してクッションから引っ張り出される。そして、第１部分および第２部分の外側エッジ同士が取り付けられ、第１部分と第２部分とが入口開口に挿入されてクッション内に戻されることで方向変更フードが形成される。
【００２０】
そして、保持リングがクッションおよび方向変更フードの入口開口に挿入される。そして、クッションおよび方向変更フードおよびハウジングおよびインフレータの取付穴にファスナが挿入される。保持リングと方向変更フードとクッションとハウジングとインフレータとが集まると、タブが方向変更フードおよびクッションおよびハウジングの整列穴に入り込む。そして、インフレータの排気部分がハウジングおよびクッションおよび方向変更フードおよび保持リングの入口開口を通る。そして、ファスナの端部にナットが螺合されて締結されることで保持リングと方向変更フードとクッションとハウジングとインフレータとが互いに取り付けられる。
【００２１】
そして、クッションと方向変更フードとを収容空間内に単にコンパクト化することによってクッションと方向変更フードとが折り畳まれる。特殊な折畳方法や順序立てられた折畳方法を利用する必要はなく、単に、クッションと方向変更クッションとを収容空間内に押し込めばよい。そして、クッションの膨張特性を決定するに当たってクッションおよび方向変更フードの折畳の形態が比較的小さな役割しか果たさないように、方向変更フードは、クッションに流入する膨張ガスを方向付ける。
【００２２】
本発明の別の１つの実施形態では、方向変更フードから膨張ガスが流出する前に方向変更フードが膨張可能なように、放出エッジ同士および補助放出エッジ同士が取り付けられている。方向変更フレーム内の膨張ガスが方向変更フードの外側のガスに対して予め定められた圧力差に達したとき、破断継ぎ目が破れることで放出開口および補助放出開口が開かれる。その結果、方向変更フードから大部分の膨張ガスが放出される前に、放出開口と補助放出開口とが適切に配置されることになる。
【００２３】
また、本発明の別の１つの実施形態では、破断不能な継ぎ目を形成する縫合せのような壊れやすくない方法によって放出エッジ同士および補助放出エッジ同士が取り付けられる。例えば、外側エッジおよび放出エッジおよび補助放出エッジが連続的で均一な縫合せプロセスによって縫い合わされる。破断可能な継ぎ目の代わりに、放出エッジおよび補助放出エッジに隣接した出口部分のところに複数の孔が形成される。予め定められた圧力差に達したとき、出口部分が孔に沿って裂けることで放出開口および補助放出開口が開かれ、これにより、膨張ガスが排出される。
【００２４】
また、本発明の別の１つの実施形態では、クッション内に非対称な放出を提供するように方向変更フードが向けられている。例えば、方向変更フードがクッション内で傾くような角度だけ方向変更フードの入口開口周りで取付穴と整列穴とが回転せしめられている。放出開口が中心から外れた位置にあることから、非対称な横方向の膨張を提供する角度に沿って膨張ガスが放出されることになる。
【００２５】
本発明のエアバッグモジュールおよびそれに関連する方法を利用することによって、乗員に対する衝撃を効果的に和らげるようにエアバッグが膨張する。さらに、エアバッグモジュールは、効率的で且つコスト効率良く製造可能である。本発明のこうした特徴や利点およびその他の特徴や利点は、以下の説明や特許請求の範囲から十分に明らかになるであろうし、ここに記載する発明を実施することによって理解可能であろう。
【００２６】
本発明のその他の特徴や利点が得られる形態を容易に理解することができるように、上で簡単に説明した発明を図面に示した特定の実施形態を参照しつつ詳細に説明する。図面は、本発明の典型的な実施形態のみを示したものであり、本発明の範囲を制限するものではないことを前提に、図面を用いて特定的に且つ詳細に本発明を記載し説明する。
【発明を実施するための最良の形態】
【００２７】
全体を通して同様の部分に同様の参照符号を付した図面を参照して本発明の現在のところ好適な実施形態について説明する。なお、ここで説明し、図面に示した本発明の構成要素は、広範な様々な形状で配置されたり設計されたりされることが可能である。したがって、図１〜図６に示した本発明の装置、システム、および、方法の実施形態に関する以下の詳細な説明は、特許請求の範囲に係る発明の範囲を制限するものではなく、単に、本発明の現在のところ好適な実施形態を代表するものである。
【００２８】
また、本明細書において、「に接続され」「に連結され」および「に連通し」なる記載は、２つ以上の部品間における機械的な相互作用、電気的な相互作用、磁気的な相互作用、電磁気的な相互作用、そして、熱的な相互作用を含む相互作用の形態を指している。また、「に取り付けられ」なる記載は、取り付けられた物体間における相対的な移動または回転を抑制する機械的な連結の形態を指している。さらに、「に枢動可能に取り付けられ」「にスライド可能に取り付けられ」なる記載は、相対的な枢動または相対的な移動を許可しつつその他の相対的な動きを抑制する機械的な連結の形態を指している。
【００２９】
また、「に直接取り付けられ」なる記載は、取り付けられた部品同士が直接接触し、或いは、１つのファスナ、接着剤、または、取付機構によってのみ分離しているような取付の形態を指している。また、「当接」なる記載は、複数の部品同士が取り付けられていないが物理的に直接接触していることを指している。また、「掴持」なる記載は、一方の部品が他方の部品をしっかりと保持した状態でこれら部品同士が物理的に直接接触していることを指している。「オーバーラップ」なる記載は、必ずしも接触している必要はないが一方の部品が他方の部品の一部上を延びてカバーしている状態で互いに隣接していることを指している。
【００３０】
図１を参照すると、本発明の１つの実施形態のエアバッグモジュール１０を側立面図が示している。エアバッグモジュール１０は、補助席側の正面衝撃に対する保護を提供するように設計されている。しかしながら、他のタイプのエアバッグ、例えば、膝ボルスター、頭上エアバッグ、可膨張カーテン、可膨張構造補強材などにも等しく本発明を適用可能であることは当業者には理解できるであろう。
【００３１】
乗り物１２は、長手方向１４と横方向１６と縦方向１８とを有する。また、乗り物１２は、図示したように、乗員２２が座るシート２０を有する。乗員２２は、頭２４と胴２６と膝２８とを有する。また、シートベルト３０が乗員２２に対する主要な拘束を提供する。また、乗り物１２は、乗員２２脇のフロントドア３２と乗員２２前方のフロントガラス２４と該フロントガラス２４の概ね下側に配置されたインストルメントパネル３６とを有する。また、エアバッグモジュール１０は、該エアバッグモジュール１０が上面３８から略上方へ飛び出るようにインストルメントパネル３６の上面３８内に収容されている。
【００３２】
また、エアバッグモジュール１０は、図示したように、クッション４０を有し、ここでのクッション４０は、完全に膨張せしめられた形で示されている。また、エアバッグモジュール１０は、クッション４０に膨張ガスを提供するようにインストルメントパネル３６内に載置されたインフレータ４２を有する。インフレータ４２は、圧縮ガスインフレータ、火工インフレータ、そして、ハイブリッドインフレータを含む公知のタイプのものである。また、エアバッグモジュール１０は、後述で詳細に説明するように膨張ガス流をクッション４０に向けるようにクッション４０内に配置された方向変更フード４４を有する。
【００３３】
また、エアバッグモジュール１０は、インストルメントパネル３６内に配置されたハウジング４６を有する。ハウジング４６は、インストルメントパネル３６内部の骨組みにアフィックスされている。また、インフレータ４２は、ハウジング４６にセキュアされており、クッション４０と方向変更フード４４とは、展開前は、ハウジング４６によって画成される収容空間４８内に収容されている。収容空間４８は、インフレータ４２からの膨張ガスがハウジング４６から流出するためには方向変更フード４４および／またはクッション４０に流入しなければならないようにインフレータ４２の外側にある。
【００３４】
また、乗り物１２内には、電子制御装置５０、すなわち、ＥＣＵ５０が配置されている。ＥＣＵ５０は、図示したように配置されている必要はなく、乗り物１２内の様々な場所に配置可能である。また、ＥＣＵ５０は、ワイヤ５２を介してインフレータ４２に連結されている。また、ＥＣＵ５０には、ワイヤ５６を介して加速度計５４などの衝突センサが連結されている。加速度計５４は、衝突が起こったこと或いは起ころうとしていることを示す信号をＥＣＵ５０に送信する。そして、ＥＣＵ５０は、インフレータ４２の作動を起動させる信号をインフレータ４２に送信する。そして、インフレータ４２は、膨張ガスを排出してクッション４０を膨張させる。
【００３５】
クッション４０は、第１部分６０を有し、この第１部分６０は、図１に示した実施形態では、クッション４０が膨張せしめられたときには上方に配置される。同様に、クッション４０は、第１部分６０の下側で乗員２２の膝２８に向って配置される第２部分６２を有する。従来のデザインのエアバッグモジュールの幾つかでは、クッションの上方部分は、最初に膨張して乗員２２の頭部２４に接触して首に過剰な負荷をかけてしまう。一方、エアバッグモジュール１０では、方向変更フード４４が膨張ガスを第２部分６２に向けて乗員２２の体の大部分においてクッション４０で衝撃を拡散する働きをする。
【００３６】
方向変更フード４４は、インフレータ４２からの膨張ガスを受け入れるためにハウジング４６に隣接して入口部分６４を有する。また、膨張ガスをクッション４０内に排出するために入口部分６４の略前方から後方にかけて出口部分６６が配置されている。また、膨張中には、フロントガラス３４に平行に並ぶようにして頂部部分６８があり、この頂部部分６８は、入口部分６４と出口部分６６との上方に配置される。また、頂部部分６８は、方向変更フード４４の大部分を有しているが、入口部分６４と出口部分６６とは、方向変更フード４４の周辺に配置される比較的狭い領域である。
【００３７】
入口部分６４は、該入口部分６４の略後方に配置される放出開口７０を有する。さらに、入口部分６４は、該入口部分６４の前方に補助放出開口７２を有する。放出開口７０は、補助放出開口７２よりも相当に大きいので、膨張ガスの大部分を排出する。また、任意ではあるが、膨張ガスを横方向に排出してクッション４０の横方向１６への膨張を促進するために、方向変更フード４４の頂部部分６８の横に複数の通気孔７４が設けられている。
【００３８】
放出開口７０は、図示したように、膨張ガスを放出方向７６に沿ってクッション４０内へ排出する。放出方向７６は、概ね、クッション４０の第２部分６２に向いているので、水平面７８から角度８０だけ下方を向いている。角度８０は、約０度〜約１４５度の範囲である。より特定すると、角度８０は、約３０度〜約９０度の範囲である。さらに特定すると、角度８０は、約４５度〜約８５度の範囲である。さらに特定すると、角度８０は、約６０度〜約８０度の範囲である。さらに特定すると、角度８０は、約６５度〜約７５度の範囲であり、例えば、約７０度である。
【００３９】
膨張ガスは、略上方を向いた膨張方向８２に沿って方向変更フード４４に流入する。また、頂部部分６８は、図１に示したように、膨張ガスの大部分が方向転換路８４に捕えられて該方向転換路８４に沿って方向転換せしめられるように丸くなっている。また、頂部部分６８は、略ドーム形の形状をしている。したがって、方向転換路８４は、方向変更フード４４を介した安定した流れを促進する比較的連続したカーブを有する。また、方向転換路８４は、膨張ガスの流れの方向を膨張方向８２から放出方向７６に変える。なお、本明細書では、「略ドーム形」とは、連続的ではあるが外側へ弓状となるように径が変化する三次元的なカーブのある形状をいう。また、「略ドーム形」の形状は、球体の一部である必要はなく、さらに複雑な形状であってもよい。
【００４０】
膨張ガスの一部は、クッション４０の前方部分を充填するために前方へ延びる補助放出方向８６に沿って補助放出開口７２に流入する。補助放出開口７２と通気孔７４とは、膨張ガスの大部分が放出開口７０を通って流出してクッション４０の第２部分６２に向うように放出開口７０よりも幾分か小さい。なお、補助放出開口７２や通気孔７４は、任意的なものである。
【００４１】
図２を参照すると、膨張中におけるクッション４０と方向変更フード４４とを破断斜視図が示している。クッション４０は、図示したように、第１側部９０と第２側部９２とを有し、これら側部９０，９２は、長手方向１４と横方向１８とによって画成される互いに平行な面内において略鉛直方向を向いている。また、クッション４０は、インストルメントパネル３６の上面３８（図２には示していない）に概ね沿うように配置される取付部分９４を有する。また、方向変更フード４４の入口部分６４が取付部分９４に取り付けられ、取付部分９４が後述で詳細に説明するようにハウジング４６に取り付けられる。なお、クッション４０が従来公知の通気孔や紐やその他の特徴を有していてもよい。
【００４２】
また、方向変更フード４４は、第１布部分１００と第２布部分１０２とを有し、これら布部分１００，１０２は、互いに一体的に形成されている（すなわち、１つの連続して広がる布から形成されている）。第１布部分１００は、クッション４０の第１側部９０に隣接して該第１側部９０に平行に延在して方向変更フード４４の第１側部分１０４を画成している。同様に、第２布部分１０２は、クッション４０の第２側部９２に隣接して該第２側部９２に平行に延在して方向変更フード４４の第２側部分１０６を画成する。これら第１側部分１０４と第２側部分１０６と第１側部９０と第２側部９２とは、膨張中、幾分か弯曲しているが、それでもなお、互いに略平行となっている。したがって、「略平行」な部材は、必ずしも、平坦であったり、正確に平行であったりする必要はない。
【００４３】
方向変更フード４４の第１布部分１００は、第１外側エッジ１０８を有し、第２布部分１０２は、第２外側エッジ１１０を有する。これら外側エッジ１０８，１１０は、放出か郁夫７０と補助放出開口７２との間に延在する。そして、これら外側エッジ１０８，１１０は、縫い合わせ、接着剤による接着、化学的な接着、高周波（ＲＦ）溶接、超音波溶接、ワンピース織り（ＯＰＷ）、剛性のある機械的なファスナの利用などの方法によって互いに取り付けられる。図２に示した実施形態では、第１布部分１００と第２布部分１０２とは、互いに縫い合わされて第１布部分１００を第２布部分１０２に取り付ける継ぎ目１１を形成している。
【００４４】
また、第１布部分１００は、第１放出エッジ１１２と有し、第２布部分１０２は、第２放出エッジ１１４を有し、第１放出エッジ１１２は、第１外側エッジ１０８に隣接し、第２放出エッジ１１４は、第２外側エッジ１１０に隣接している。また、第１放出エッジ１１２と第２放出エッジ１１４とは、協力して放出開口７０を画成する。また、図２に示した実施形態では、第１放出エッジ１１２と第２放出エッジ１１４とは、膨張の開始時に膨張ガスが放出開口７０から自由に流れることができるように互いには取り付けられていない。
【００４５】
同様に、第１布部分１００は、第１補助放出エッジ１１６を有し、第２布部分１０２は、第２補助放出エッジ１１８を有し、第１補助放出エッジ１１６は、第１外側エッジ１０８に隣接し、第２補助放出エッジ１１８は、第２外側エッジ１１０に隣接している。したがって、第１外側エッジ１０８は、第１放出エッジ１１２と第１補助放出エッジ１１６との間にあり、第２外側エッジ１１０は、第２放出エッジ１１４と第２補助放出エッジ１１８との間にある。また、第１補助放出エッジ１１６と第２補助放出エッジ１１８とは、協力して膨張開始時に開いて膨張ガスを排出する補助放出開口７２を画成する。
【００４６】
方向変更フード４４の見えている通気孔７４は、図示したように、少なくとも部分的に横方向１６に沿って延びる通気方向１２０に沿って膨張ガスを排出する。また、反対側にある通気孔７４（図２では見えない）は、図示されている通気方向１２０の横方向成分とは略反対向きの横方向成分を有する通気方向に沿って膨張ガスを排出する。これら通気孔７４は、クッション４０の横方向の部分の膨張を促進し、これは、例えば、乗員２２が一方の側または他方の側に傾いた場合における保護を高める。
【００４７】
エアバッグモジュール１０の数々の要素は、広範な方法に従って製造可能であって組立可能である。以下、図３を参照して、こうした方法の１つを提示し説明する。
【００４８】
図３を参照すると、エアバッグモジュール１２２を分解されて組み立てられていない状態で斜視図が示している。組立が完了すると、エアバッグモジュール１２２は、図１および図２に示したエアバッグモジュール１０となる。エアバッグモジュール１２２は、図示したように、方向変更フード４４となるフードパネル１２４と、クッション４０となるクッションパネル１２６とを有する。エアバッグモジュール１２２の他の特徴部分が隠れないように、図３には、クッションパネル１２６の取付部分９４のみを示してある。また、エアバッグモジュール１２２は、保持リング１３０を有し、このリングリング１３０は、例えば、フードパネル１２４とクッションパネル１２６とハウジング４６と入口４２とを互いに取り付けるために複数のナット１３２に関連して使用されるものである。
【００４９】
また、図示したように、フードパネル１２４に第１布部分１００と第２布部分１０２とが形成されており、これら布部分１００，１０２は、中央細長片１３６によって互いに接続されている。また、第１布部分１００と第２布部分１０２とは、例えば、広げられた布をフードパネル１２４の形状にレーザーカットすることによって中央細長片１３６に一体的に形成される。また、第１布部分１００と第２布部分１０２との間のところで中央細長片１３６には、入口開口１３８が形成されている。また、中央細長片１３６は、入口開口１３８を包囲する周辺部分１４０を有する。
【００５０】
また、周辺部分１４０周りには、径方向に対称的な形で複数の取付穴１４２が配設されている。また、周辺部分１４０周りには、複数の整列穴１４４も配設されている。図３に示した実施形態では、４つの取付穴１４２があり、対をなす取付穴１４２の隣接する２つの取付穴１４２間に、それぞれ、２つの整列穴１４４が配置されている。
【００５１】
また、クッションパネル１２６は、例えば、一枚の広げられた布からクッションパネル１２６の形状をレーザーカットすることによって形成される。なお、これに代えて、複数の布片を互いに取り付けてクッションパネル１２６を形成してもよい。また、クッションパネル１２６は、従来公知の広範な様々な形状をとることができる。クッションパネル１２６の取付部分９４は、周辺部分１４０によって包囲された同様に配置される入口開口１３８を有する。また、取付部分９４の周辺部分１４０周りには、フードパネル１２４の中央細長片１３６の取付穴１４２および整列穴１４４に整列するように取付穴１４２と整列穴１４４とが配設されている。
【００５２】
保持リング１３０は、例えば、スチールまたはアルミニウムのような金属から形成され、或いは、任意ではあるが、プラスチック、セラミック、または、複合材料から形成される。図３に示した実施形態では、保持リング１３０は、管状壁１４６を有し、この管状壁１４６は、入口開口１３８を有し、この入口開口１３８は、フードパネル１２４の入口開口１３８とクッションパネル１２６の入口開口１３８とに大きさが略等しい。また、保持リング１３０は、フランジ１５０を有し、このフランジ１５０は、管状壁１４６から長手方向１４で且つ横方向１６に外方へと延びている。
【００５３】
また、フードパネル１２４およびクッションパネル１２６の取付穴１４２に整列するように複数のファスナ１５２がフランジ１５０に取り付けられ或いは一体的に形成されている。ファスナ１５２は、フードパネル１２４に向って延びている。各ファスナ１５２は、例えば、ボルトやネジスタッドなどである。図３に示した実施形態では、フードパネル１２４およびクッションパネル１２６の周辺部分１４０にある取付穴１４２の数に一致するように、４つのファスナ１５２が設けられている。さらに、フランジ１５０には、例えば、打抜加工によって８つのタブ１５４が形成されている。タブ１５４は、フードパネル１２４およびクッションパネル１２６の周辺部分１４０の整列穴１４４に対応し、該整列穴１４４に整列する。
【００５４】
ハウジング４６は、略直方体を画成する側壁１５６と、これら側壁１５６に略垂直に配置された取付プレート１５８とを有する。取付プレート１５８は、入口開口１３８を有し、この入口開口１３８は、保持リング１３０およびフードパネル１２４およびクッションパネル１２６の入口開口１３８に大きさが略等しい。また、取付プレート１５８は、該取付プレート１５８の入口開口１３８周りに配設された４つの取付穴１４２と８つの整列穴１４４とを有する。取付プレート１５８の取付穴１４２は、フードパネル１２４およびクッションパネルの取付穴１４２と保持リング１３０のファスナ１５２とに整列し、取付プレート１５８の整列穴１４４は、フードパネル１２４およびクッションパネルの整列穴１４４と保持リング１３０のタブ１５４とに整列する。
【００５５】
インフレータ４２は、略円筒形の形状をしており、膨張ガスを排出する排気部分１６０と、ＥＣＵ５０（図３では見えない）に連結される接続部分１６２とを有する。排気部分１６０は、長手方向１４で且つ横方向１６に概ね沿って延びるフランジ１６４によって接続部分１６２から分離されている。フランジ１６４には、フードパネル１２４およびクッションパネル１２６およびハウジング４６の取付穴１４２ならびに保持リング１３０のファスナ１５２に整列するように、複数の取付穴１４２が形成されている。
【００５６】
また、インフレータ４２が作動したときにインフレータ４２の内部から膨張ガスを排出するために、インフレータ４２の排気部分１６０には、複数の穴１６６が形成されている。これら穴１６６は、インフレータ４２から膨張ガスを略径方向外方に排出して実質的にスラストが中立した展開を提供するような方向に向けられている。また、インフレータ４２をＥＣＵ５０に連結するワイヤ５２は、インフレータ４２の接続部分１６２にあるレセプタ（図略）に押し込まれるコネクタ１７０を有する。
【００５７】
また、エアバッグモジュール１２２は、図１および図２に示したエアバッグモジュール１０を形成するように容易に組立可能である。１つの方法によれば、最初に、フードパネル１２４がクッションパネル１２６に取り付けられる。そして、フードパネル１２４およびクッションパネル１２６の入口開口１３８周りの周辺部分１４０が縫い合わされ（図略）、フードパネル１２４がクッションパネル１２６に取り付けられる。
【００５８】
保持リング１３０とハウジング４６とインフレータ４２とが取り付けられる前に、フードパネル１２４とクッションパネル１２６とが閉じられ、方向変更フード４４とクッション４０とが形成される。詳細には、最初に、クッションパネル１２６のエッジ（図略）同士を縫い合わせることによってクッションパネル１２６が閉じられる。これは、従来公知の縫合せやその他の方法によって行われる。なお、本明細書では、「閉じる」は、空間を完全に包囲することを意味するのでも空間を気密に包囲することを意味するものでもない。
【００５９】
なお、所望であれば、取付前にフードパネル１２４およびクッションパネル１２６の入口開口１３８からクッションパネル１２６のエッジを引っ張り出し、取付後に入口開口１３８に挿入して戻すようにしてもよく、これによれば、処理の完了時にクッションパネルのエッジが互いに向って内側にロールされて内部継ぎ目のところで取り付けられることになる。この構成は、継ぎ目の強度を大きくする。いずれにしても、クッション４０は、方向変更フード４４を形成するように閉じられていないフードパネル１２４を包囲することになる。
【００６０】
フードパネル１２４を閉じるためには、クッション４０の外側から第１外側エッジ１０８と第２外側エッジ１１０とにアクセスできるように、最初に、クッション４０およびフードパネル１２４の入口開口１３８から少なくとも部分的に第１布部分１００と第２布部分１０２とを引っ張り出しておく。そして、第１外側エッジ１０８と第２外側エッジ１１０とが互いに縫い合わされ、継ぎ目１１１が形成される。上述したように、第１放出エッジ１１２と第２放出エッジ１１４と第１補助放出エッジ１１６と第２補助放出エッジ１１８とは、放出開口７０および補助放出開口７２を画成するように取り付けられていない状態とされている。
【００６１】
また、第１外側エッジ１０８と第２外側エッジ１１０とが互いに取り付けられた後、第１布部分１００と第２布部分１０２とがクッション４０および方向変更フード４４の入口開口１３８に挿入されて戻される。こうして、方向変更フード４４が表向きにされてクッション４０内に配置される。ここで、第１外側エッジ１００と第２外側エッジ１０２とは、互いに向って内方へと弯曲しており、継ぎ目１１１は、方向変更フード４４内に配置されている。
【００６２】
フードパネル１２４およびクッションパネル１２６が閉じられてクッション４０および方向変更フード４４が形成された後、クッション４０および方向変更フード４４の入口開口１３８に保持リング１３０が挿入される。そして、ファスナ１５２が方向変更フード４４およびクッション４０の取付穴１４２を通って延びると共にタブ１５４が方向変更フード４４およびクッション４０の整列穴１４４を通って延びるように、保持リング１３０が横方向１８に沿って方向変更フード４４およびクッション４０に係合するように挿入される。
【００６３】
また、ハウジング４６とインフレータ４２とが縦方向１８に沿って挿入されて保持リング１３０に係合せしめられる。こうして、ファスナ１５２がフードパネル１２４およびクッションパネル１２６およびハウジング４６およびインフレータ４２の取付穴１４２を通って延在し、タブ１５４がフードパネル１２４およびクッションパネル１２６およびハウジング４６の整列穴１４４を通って延在することになる。そして、ナット１３２がファスナ１５２の露出した端部に螺合されて係合せしめられ、これにより、フードパネル１２４およびクッションパネル１２６およびは４６およびインフレータ４２に対する保持リング１３０の係合が確実なものとされる。
【００６４】
こうして、インフレータ４２の排気部分１６０がハウジング４６およびクッション４０および方向変更フード４４および保持リング１３０の入口開口１３８を通って延在することになる。したがって、排気部分１６０は、保持リング１３０の管状へ気１４６によって画成される空間内において方向変更フード４４の内部に配置されることになる。また、管状壁１４６は、膨張ガスが排気部分１６０から流出する方向を制御するために、インフレータ４２の排気部分１６０の穴１６６の幾つかを覆っている。穴１６６が対称的に覆われている限り、インフレータ４２のスラスト中立状態が維持される。
【００６５】
そして、クッション４０と方向変更フード４４とがハウジング４６内に折り畳まれる。この折畳は、例えば、自動化された機械作業や手作業によって行われる。なお、１つの実施形態として、クッション４０および方向変更フード４４が予め定められたパターンに従って折り畳まれるのではなく、単に、ハウジング４６の内部の収容空間４８内にコンパクトに詰め込まれてもよい。したがって、「折畳」との用語は、順序立てられた布コンパクト化技術と順序立てられていない布コンパクト化技術との両方を含むように大まかに使用される用語である。
【００６６】
こうした順序立てられていない折畳は、例えば、「無秩序折畳」とも呼ばれ、複雑な折畳方法を実行するのに必要な機械作業やプロセスを排除することによってエアバッグモジュール１０のコスト効率を向上させるものである。また、こうした折畳方法は、クッションの膨張経路を制御するためにエアバッグモジュールにおいて利用されることが多い。しかしながら、クッション４０および方向変更フード４４のコンパクト化が幾分か順序立てられていないときでさえ、エアバッグモジュール１０の方向変更フード４４は、上述したような制御を提供することができる。
【００６７】
また、別の実施形態として、クッション４０および方向変更フード４４がさらに順序立てられた方法に従って折り畳まれてもよい。こうした折畳は、所望であれば、ハウジング４６およびインフレータ４２が保持リング１３０に取り付けられる前に行われる。そして、クッション４０と方向変更フード４４とを備えた折り畳まれたパーッケージがハウジング４６およびインフレータ４２に連結される。なお、これに代えて、ハウジング４６および／またはインフレータ４２が保持リング１３０に対して位置決めされた後に順序立てられた折畳が行われてもよい。
【００６８】
クッション４０および方向変更フード４４が収容空間４８の形に折り畳まれた後は、エアバッグモジュール１０は、乗り物１２に直ぐにでも搭載可能な状態にある。そして、ワイヤ５２がコネクタ１７０を介してインフレータ４２の接続部分１６２に取り付けられる。そして、ハウジング４６が様々な形態でインストルメントパネル３６の内部に取り付けられる。
【００６９】
衝突が検出されると、ＥＣＵ５０がワイヤ５２を介して作動信号をインフレータ４２に送信する。インフレータ４２は、作動信号を受信し、作動して該インフレータ４２の排気部分１６０の穴１６６から膨張ガスを排出する。膨張ガスは、概ね、方向変更フード４４の頂部部分６８に衝突してクッション４０内で方向変更フード４４を膨張させる。そして、膨張ガスの一部が方向転換経路８４に沿って移動し、放出開口７０を介して方向変更フード４４から流出する。その他の膨張ガスは、図２に示したように、補助放出開口７２を介して方向変更フード４４から流出する。
【００７０】
展開中においては、方向変更フード４４の頂部部分６８は、図１に示したように、フロントガラス３４に並んでいる。また、頂部部分６８内の膨張ガスの圧力は、フロントガラス３４によって反作用圧力が頂部部分６８に加えられるにも係わらず、方向変更フード４４の形状を維持する。したがって、方向変更フード４４は、膨張中、一貫した全体形状を維持する。
【００７１】
また、フロントガラス３４は、頂部部分６８が前方へ進むことを防止する。その結果、方向変更フード４４は、膨張ガスが放出開口７０から流出することによって加えられるスラスト力に反応して前方へと枢動することはできない。また、放出開口７０は、望ましい形で放出方向に沿って膨張ガスを放出する所定の位置に維持される。なお、頂部部分６８は、様々な乗り物の構成やフロントガラスの形状に合うように様々な形状に変わることができる。
【００７２】
こうして、膨張ガスは、クッション４０の第２部分６２内へと向けられ、これにより、確実に、第２部分６２が乗員２２の頭部２４および胴体２６に衝撃に対する比較的均一な保護を提供するのに十分に即座に膨張する。なお、膨張中のクッション４０の堅さを制限するために、クッション４０が膨張中に限られた流量で該クッション４０からガスを排出するように設計された通気孔またはガス透過性膜を有していてもよい。
【００７３】
本発明の別の実施形態では、膨張ガスの殆どがクッションに排出される前に方向変更フード４４が適切に膨張することを確実ならしめるために、方向変更フード４４からの膨張ガスの初期流量を制限することが望ましい。このことは、放出開口７０が膨張ガスを放出方向７６に沿って排出するのに適切な位置をとることを確実ならしめる。さらに、別の実施形態では、フードパネル１３４が捩れた状態におちいらないようにすることを確実ならしめるための対策をすることが好ましい。こうした別の実施形態は、図４および図５に示してあり、以下、これを図４および図５を参照して説明する。
【００７４】
図４を参照すると、本発明の別の実施形態の１つの方向変更フード２４４を斜視図が示している。方向変更フード２４４は、エアバッグモジュール１０の残りの構成要素、または、上述した実施形態の構成要素とは異なって構成された構成要素と共に、方向変更フード４４の代わりに使用される。また、方向変更フード２４４は、初期膨張段階中で示されている。
【００７５】
上述した実施形態と同様に、方向変更フード２４４は、該方向変更フード２４４から膨張ガスを流出させる入口部分６４と、膨張ガスを方向転換させる頂部部分６８とを有する。また、方向変更フード２４４は、後述するように、上述した実施形態のものとは幾分か異なって構成された出口部分２６６も有する。出口部分は、膨張ガスをクッション（図略）に排出する放出開口２７０と補助放出開口２７２とを有する。
【００７６】
また、方向変更フード２４４は、第１布部分３００と第２布部分３０２とを有する。第１布部分３００は、第１側部分３０４を有し、第２布部分は、第２側部分３０６を有し、これら側部分３０４，３０６は、通気孔７４がない点で上述した実施形態の側部分１０４，１０６とは異なる。また、上述した実施形態のものと同様に、第１布部分３００は、第１外側エッジ１０８を有し、第２布部分３０２は、第２外側エッジ１１０を有し、これら外側エッジ１０８，１１０同士は、継ぎ目１１１によって取り付けられている。
【００７７】
また、第１布部分３００は、第１放出エッジ３１２を有し、第２布部分３０２は、第２放出エッジ３１４を有し、これら放出エッジ３１２，３１４は、協力して放出開口２７０を画成する。また、第１放出エッジ３１２および第２放出エッジ３１４は、継ぎ目３１５によって互いに取り付けられている点で上述した実施形態のものとは異なる。継ぎ目３１５は、方向変更フード２４４の内部と外部との間に予め定められた圧力差が存在するときに継ぎ目３１５が裂けて膨張ガスが放出開口２７０を介して方向変更フード２４４から流出することができるように選択された強度を有する。
【００７８】
同様に、第１布部分３００は、第１補助放出エッジ３１６を有し、第２布部分３０２は、第２補助放出エッジ３１８を有し、これら補助放出エッジ３１６，３１８は、協力して補助放出開口２７２を画成する。また、これら第１補助放出エッジ３１６と第２補助放出エッジ３１８とは、継ぎ目３１９によって互いに取り付けられており、この継ぎ目３１９は、予め定められた圧力差の形成に応答して該継ぎ目３１９が裂けて補助放出開口２７２を介して膨張ガスを排出することができるように選択された強度を有する。
【００７９】
継ぎ目３１５，３１９を利用することは、大部分のガスがクッション内に排出される前に方向変更フード２４４が膨張ガスで実質的に満たされることを確実ならしめるのを助ける。したがって、放出開口２７０と補助放出開口２７２とは、これらが開いて膨張ガスを排出するときに適切に配置されていることになる。これによれば、初期段階において、膨張ガスは、方向変更フード２４４からのガス流が安定するまで予期していない方向へ方向変更フード２４４から流出するのではなく、所望の方向（例えば、図１に示されている放出方向７６および補助放出方向８６）に沿って流れる。
【００８０】
なお、継ぎ目３１５，３１９は、様々な多くの方法によって作製可能である。１つの方法によれば、方向変更フード２４４を備えたエアバッグモジュールは、方向変更フード４４が閉じられるところまでは、上述した実施形態に関して説明したように組み立てられる。そして、方向変更フード２４４の外側エッジ１０８，１１０が単に縫い合わされるのではなく、放出エッジ３１２，３１４および補助放出エッジ３１６，３１８も縫い合わされる。
【００８１】
任意ではあるが、放出エッジ３１２，３１４および補助放出エッジ３１６，３１８が外側エッジ１０８，１１０を取り付けるのに利用されるプロセスをそのまま継続して利用して互いに取り付けられてもよい。また、継ぎ目１１１の破断強度よりも低い破断強度を提供するように継ぎ目３１５，３１９を形成するために、縫合せに関するパラメータ、例えば、糸の種類、縫い目の間隔などの１つ又はそれ以上を変更してもよい。或いは、継ぎ目３１５，３１９が継ぎ目１１１を形成するのに利用されるものとは異なる作業によって縫い合わされてもよい。なお、継ぎ目１１１，３１５，３１９が形成されると、方向変更フード２４４は、上述した実施形態に関して説明したように、クッション内に挿入されて戻され、表向きにされて配置される。
【００８２】
放出エッジ３１２，３１４および補助放出エッジ３１６，３１８の破断可能な取付は、方向変更フード２４４の不適切な閉鎖や搭載を防止するのを助けるという利点を追加する。すなわち、放出開口２７０および補助放出開口２７２が縫い合わされて閉じられた後は、第１布部分３００および第２布部分３０２が放出開口２７０への予期していない挿入または補助放出開口２７２への予期していない挿入によって間違った安定状態へと捩れてしまうことはない。
【００８３】
さらに、放出エッジ３１２，３１４の形状およびサイズが補助放出エッジ３１６，３１８のものとは異なることから、第１布部分３００と第２布部分３０２との不適切な取付は、即座に顕在化するし、修正可能である。したがって、放出エッジ３１２，３１４の１つが補助放出エッジ３１６，３１８に取り付けられていることは、即座に明らかとなる。
【００８４】
図５を参照すると、本発明のさらに別の実施形態の方向変更フード３４４を斜視図が示している。方向変更フード３４４は、エアバッグモジュール１０の残りの構成要素、または、第１実施形態のものとは異なって構成された構成要素と共に、方向変更フード４４の代わりに利用される。また、方向変更フード３４４は、初期膨張段階中で示されている。
【００８５】
上述した実施形態と同様に、方向変更フード３４４は、膨張ガスを受け入れる入口部分６４と、膨張ガスを方向転換させる頂部部分６８とを有する。また、方向変更フード３４４は、膨張ガスをクッション（図略）内に排出する出口部分３６６も有する。出口部分３６６は、放出開口３７０と補助放出開口３７２とを有する。
【００８６】
また、方向変更フード３４４は、第１布部分４００と第２布部分４０２とを有する。第１布部分４００は、上述した実施形態のものと同様な第１側部分３０４を有する。同様に、第２布部分４０２は、第２側部分３０６を有する。また、上述した実施形態のものと同様に、第１布部分４００は、第１外側エッジ１０８を有し、第２布部分４０２は、第２外側エッジ１１０を有する。これら第１外側エッジ１０８と第２外側エッジ１１０とは、継ぎ目１１１によって互いに取り付けられている。
【００８７】
また、第１布部分４００は、第１放出エッジ４１２を有し、第２布部分４０２は、第２放出エッジ４１４を有し、これら放出エッジ４１２，４１４は、協力して放出開口３７０を画成する。また、第１放出エッジ４１２と第２放出エッジ４１４とは、事実上、概して破断不能な継ぎ目４１５によって互いに取り付けられている。また、第１布部分４００は、第１補助放出エッジ４１６を有し、第２布部分４０２は、第２補助放出エッジ４１８を有し、これら補助放出エッジ４１６，４１８は、協力して補助放出開口３７２を画成する。また、第１補助放出エッジ４１６と第２補助放出エッジ４１８とは、これも破断不能な継ぎ目４１９な継ぎ目４１９によって互いに取り付けられている。
【００８８】
また、出口部分３６６は、第２放出エッジ４１４に隣接した第２布部分４０２のところに形成された孔開き領域４２２を有する。孔開き領域４２２は、第２放出エッジ４１４に沿ったラインに配設された複数の孔４２４を有する。これら孔４２４は、該孔４２４に沿った孔開き領域４２２の破断強度が小さくなるように互いに離間して配置されている。したがって、孔開き領域４２２は、方向変更フード３４４の内部と外部との間の圧力差が予め定められた圧力差に達したときに裂けて開いて放出開口３７０を提供する。
【００８９】
同様に、出口部分３６６も、第２補助放出エッジ４１８に隣接した第２布部分４０２のところに形成された孔開き領域４２６を有する。孔開き領域４２６は、第２補助放出エッジ４１８に沿ったラインに配設された複数の孔４２８を有する。孔４２４と同様に、これら孔４２８も、該孔に沿った孔開き領域４２８の破断強度が小さくなるように互いに離間して配置されている。その結果、孔開き領域４２６は、予め定められた圧力差に達したときに裂けて開いて補助放出開口を提供する。
【００９０】
これによれば、方向変更フード３４４は、上述した実施形態の利益に匹敵する利益を提供する。すなわち、放出開口３７０および補助放出開口３７２は、概して、膨張ガスの殆どがクッション内に排出される前に適切な位置に配置されていることになる。さらに、方向変更フード３４４の不適切な閉鎖や搭載は、困難であり、それに気付くのが比較的容易である。
【００９１】
また、継ぎ目４１５，４１９は、継ぎ目１１１を形成するのに利用される方法と同様な方法によって容易に作製可能である。継ぎ目４１５，４１９が継ぎ目１１１と同様に実質的に破断不能であることから、継ぎ目１１１，４１５，４１９は、パラメータを変更する必要なく、１つの連続した縫合せを使って形成可能である。したがって、外側エッジ１０８，１１０および放出エッジ４１２，４１４および補助放出エッジ４１６，４１８は、継ぎ目１１１，４１５，４１９が効果的に１つの連続した継ぎ目となるように連続的に互いに取り付けられる。
【００９２】
また、孔４２４，４２８は、様々な方法によって形成可能である。１つの例として、孔４２４，４２８は、レーザーカットによって形成される。したがって、孔４２４，４２８は、方向変更フード３４４を形成するフードパネルの形状を画成するために外側エッジ１０８，１１０および放出エッジ４１２，４１４および補助放出エッジ４１６，４１８を形成するのに利用されるレーザーカット処理の一部として形成される。
【００９３】
特定の実施では、方向変更フードの一方の側を優先的に膨張させるために、横方向成分のある方向にガスの方向を変更させることが望ましい。こうした非対称な膨張は、フロントガラスやインストルメントパネルのカーブを補償したり、適所を外れた衝撃に対する保護を高めたりするために利用される。こうした横方向に非対称な膨張ガスの流れを提供するフードパネルの例は、図６に示してあり、次に図６を参照してこれを説明する。
【００９４】
図６を参照すると、本発明の別の実施形態の方向変更フードを作製するのに利用されるフードパネル５２４を平面図が示している。結果としてもたらされる方向変更フードは、クッション（図略）に排出される膨張ガスに横方向成分を提供するために、エアバッグモジュール１０の残りの構成要素、または、第１実施形態のものとは異なって構成された構成要素と共に、方向変更フード４４の代わりに利用される。
【００９５】
フードパネル１２４と同様に、フードパネル５２４は、第１布部分１００と、第２布部分１０２と、これら第１布部分１００と第２布部分１０２とを互いに連結する中央細長片５３６とを有する。また、第１布部分１００は、第１側部分１０４を有し、第２布部分１０２は、第２側部分１０６を有する。さらに、第１布部分１００は、第１外側エッジ１０８と、第１放出エッジ１１２と、第１補助放出エッジ１１６とを有する。また、第２布部分１０２は、第２外側エッジ１１０と、第２放出エッジ１１４と、第２補助放出エッジ１１８とを有する。
【００９６】
中央細長片５３６は、膨張ガスをフードパネル１２４から形成された方向変更フードに流入させることができる入口開口１３８を有する。また、入口開口１３８を周辺部分５４０が包囲している。また、周辺部分５４０周りには、複数の取付穴１４２と整列穴１４４とが分布されている。これら取付穴１４２および整列穴１４４は、図３に示した実施形態のものと同様であり、図３に示した保持リング１３０のファスナ１５２およびタブ１５４と同様なファスナおよびタブを受容するのに利用される。
【００９７】
また、周辺部分５４０は、該周辺部分５４０の取付穴１４２および整列穴１４４が周辺部分１４０の取付穴および整列穴の位置から角度５４２だけ回転されている点で図３に示したフードパネル１２４の周辺部分１４０とは異なる。角度５４２は、排出される膨張ガスに横方向成分を与えるように選択される。なお、角度５４２が大きいと、より大きな横方向の流れとより大きな非対称性が提供される。図示したように、角度５４２は、図６に示した実施形態では、約２０度である。
【００９８】
角度５４２は、図１および図２に示したエアバッグモジュール１０と構造的に同様なエアバッグモジュールを提供するようにフードパネル５２４をフードパネル１２４の代わりに利用可能とするという効果を奏する。しかしながら、フードパネル５２４の閉鎖によって形成される方向変更フード（図略）は、放出開口が乗り物の室内を向き且つ補助放出開口が乗り物の室外を向くように角度を付けられる。その結果、膨張ガスの殆どが乗り物の室内（例えば、図６で見て左方向への横方向１６に沿って）であって且つ下方へ向けられる。
【００９９】
横方向への放出成分は、乗り物の中央では乗員に向って延在するが端部では後退するようにカーブしたインストルメントパネル（図略）を補償することを助ける。こうした形状のインストルメントパネルは、通常、補助席側のクッションを乗り物の室外に向って膨張させる。この効果は、角度５４２が存在することによって少なくとも部分的に打ち消される。また、他の実施形態として、中央のところで乗員から離れるようにカーブするフロントガラスを補償するために乗り物の室外に向う膨張ガス流を提供するために逆の角度を利用してもよい。
【０１００】
なお、本明細書で広く説明し、特許請求の範囲に規定されているように、その構造、方法、または、その他の本質的な特徴から逸脱しない範囲で別の特定の形で本発明を実施可能である。上述した実施形態は、全ての観点で例示的なものであって限定的なものではない。したがって、本発明の範囲は、上の説明によってではなく特許請求の範囲によって規定されるものである。また、特許請求の範囲の均等の意味および範囲内での全ての変更も、本発明の範囲に含まれる。
【図面の簡単な説明】
【０１０１】
【図１】乗り物のインストルメントパネル内の補助席側の正面衝撃用のエアバッグとして取り付けられる本発明のエアバッグモジュールの側立面図である。
【図２】膨張中にある図１に示したエアバッグモジュールのクッションおよび方向変更フードの部分破断斜視図である。
【図３】部分的に組み立てられた状態にある図１に示したエアバッグモジュールの分解斜視図であり、ここでは、クッションはその一部のみが示されている。
【図４】本発明の別の実施形態に従った図１に示したエアバッグモジュールのクッション内で使用されるのに適した方向変更フードの斜視図である。
【図５】本発明のさらに別の実施形態に従った図１に示したエアバッグモジュールのクッション内で使用されるのに適した方向変更フードの斜視図である。
【図６】本発明のさらに別の実施形態に従った方向変更フードを形成するフードパネルの平面図である。
【図１】
2007504047.tif 000003
【図２】
2007504047.tif 000004
【図３】
2007504047.tif 000005
【図４】
2007504047.tif 000006
【図５】
2007504047.tif 000007
【図６】
2007504047.tif 000008
【国際調査報告】
2007504047.tif 000009
2007504047.tif 000010
2007504047.tif 000011
2007504047.tif 000012
2007504047.tif 000013
2007504047.tif 000014
2007504047.tif 000015
2007504047.tif 000016
2007504047.tif 000017
2007504047.tif 000018
2007504047.tif 000019
2007504047.tif 000020
2007504047.tif 000021